(57)【要約】【課題】  安価に機械的強度の信頼性を向上させる。【解決手段】  フラットハーネス用コネクタ１は、コネクタハウジング１０と、リテーナ２０と、フラットハーネス３０と、複数の接続端子４０とを備えて構成され、フラットハーネス３０はコネクタハウジング１０の端末支持部１３，１３に支持される。フラットハーネス３０の端末部には、各導体３１間の絶縁被覆３２に挿通穴部３４が形成され、リテーナ２０のコネクタハウジング１０との対向端面には嵌合突起部２８が形成され、コネクタハウジング１０の端末支持部１３，１３の対向端面には嵌合突起部２８が嵌合する嵌合穴部１８が形成されている。リテーナ２０のコネクタハウジング１０への完全係合時に嵌合突起部２８が挿通穴部３４を通って嵌合穴部１８に嵌るため、フラットハーネス３０の端末部はコネクタハウジング１０に強固に固定される。【選択図】  図１
2005190717.tif 000002
【特許請求の範囲】
【請求項１】
複数の導体を平面状に並設し各導体の周囲に絶縁被覆が備えられた構造からなるフラットハーネスと、
このフラットハーネスの前記複数の導体とそれぞれ接続される複数の接続端子と、
これら複数の接続端子が装着されるコネクタハウジングと、
このコネクタハウジングと係合するリテーナとを備え、
前記複数の接続端子は、
先端側に形成されて相手方接続端子と接続可能な接続部と、基端側に形成されて前記導体と接続される導体接続部と、これら接続部及び導体接続部間を連結する連結部とを備えて構成され、
前記コネクタハウジングは、
先端側に形成されて相手方コネクタハウジングと嵌合する嵌合部と、この嵌合部の基端側から前記接続部を挿通する複数の端子挿通孔と、これら複数の端子挿通孔の基端側に形成されて前記連結部と前記導体接続部及び前記導体の接続部分と前記フラットハーネスの端末部とを支持する棚状の端末支持部とを備えて構成され、
前記リテーナは、
前記端末支持部との間で前記フラットハーネスの端末部をその厚さ方向に挟む状態で前記コネクタハウジングと係合してなるものである
ことを特徴とするフラットハーネス用コネクタ。
【請求項２】
前記コネクタハウジング及び前記リテーナの少なくとも一方の対向端面には、両者の完全係合時に前記端末支持部において前記フラットハーネスの端末部をその厚さ方向に挟み前記コネクタハウジングに固定する端末固定部が形成されている
ことを特徴とする請求項１記載のフラットハーネス用コネクタ。
【請求項３】
前記リテーナは、ヒンジ部を介して前記コネクタハウジングに対し係合自在に一体成形された構造からなる
ことを特徴とする請求項１又は２記載のフラットハーネス用コネクタ。
【請求項４】
前記端末支持部は前記コネクタハウジングに複数形成され、前記リテーナは前記コネクタハウジングに複数係合される
ことを特徴とする請求項１〜３のいずれか１項記載のフラットハーネス用コネクタ。
【請求項５】
前記端末固定部は、前記端末支持部に支持された前記フラットハーネスの端末部における前記各導体間の前記絶縁被覆を前記厚さ方向に挟み込む複数の固定突起部からなる
ことを特徴とする請求項１〜４のいずれか１項記載のフラットハーネス用コネクタ。
【請求項６】
前記端末固定部は、前記端末支持部に支持された前記フラットハーネスの前記各導体の配列方向に延びる形状で形成され前記端末部を前記厚さ方向に挟み込む固定突条部からなる
ことを特徴とする請求項１〜４のいずれか１項記載のフラットハーネス用コネクタ。
【請求項７】
前記端末固定部は、前記コネクタハウジング及び前記リテーナのいずれか一方に形成された複数の嵌合突起部と、いずれか他方に形成された前記複数の嵌合突起部がそれぞれ嵌合する複数の嵌合穴部とから構成され、
前記フラットハーネスの端末部には、前記導体形成部分以外の部分に前記絶縁被覆を貫通し前記複数の嵌合突起部がそれぞれ挿通する複数の挿通穴部が形成されている
ことを特徴とする請求項１〜４のいずれか１項記載のフラットハーネス用コネクタ。
【請求項８】
前記コネクタハウジング及び前記リテーナのいずれか一方の対向端面には、前記フラットハーネスの端末部の前記各導体間に嵌りこれら各導体を前記端末支持部においてそれぞれ隔てる複数の隔壁部が形成され、
前記フラットハーネスの端末部の前記各導体間には、前記複数の隔壁部がそれぞれ嵌るスリット部が形成されている
ことを特徴とする請求項１〜７のいずれか１項記載のフラットハーネス用コネクタ。
【請求項９】
前記複数の接続端子の連結部は、板状に形成されると共に一部に係止穴部及び係止突起部のいずれか一方が形成され、
前記コネクタハウジング及び前記リテーナのいずれか一方の対向端面には、前記係止穴部及び前記係止突起部のいずれか一方と係合する前記係止穴部及び係止突起部のいずれか他方が形成されている
ことを特徴とする請求項１〜８のいずれか１項記載のフラットハーネス用コネクタ。
【請求項１０】
前記コネクタハウジング及び前記リテーナの前記フラットハーネスの外部導出側端部近傍の対向端面には、前記フラットハーネスをその長手方向に沿った縦断面から見てクランク状に挟持するハーネス固定部が形成されている
ことを特徴とする請求項１〜９のいずれか１項記載のフラットハーネス用コネクタ。
【請求項１１】
前記フラットハーネスは、フラットケーブル、フレキシブルフラットケーブル及びフレキシブルプリント基板のいずれか１つからなる
ことを特徴とする請求項１〜１０のいずれか１項記載のフラットハーネス用コネクタ。
【請求項１２】
前記複数の接続端子の導体接続部と前記複数の導体とのそれぞれの接続は、抵抗溶接、超音波溶着、レーザ溶接、アーク溶接、半田付け及びピアッシングの少なくとも１つで行われている
ことを特徴とする請求項１〜１１のいずれか１項記載のフラットハーネス用コネクタ。
【発明の詳細な説明】
【技術分野】
【０００１】
本発明は、自動車等に搭載されるワイヤハーネスのうちの複数の導体が平面状に並設されたフラットハーネスに用いられるフラットハーネス用コネクタに関し、特にフラットハーネスと接続端子との接続部分への外力の影響を極力抑えることができ機械的強度を向上させ信頼性を向上させることができるフラットハーネス用コネクタに関する。
【背景技術】
【０００２】
近年、自動車等に搭載されるワイヤハーネスとして複数の導体を平面状に並設したフラットハーネスが多用されるようになっている。そして、フラットハーネス同士を接続したり、フラットハーネスと他の電気接続部材とを接続したりする場合には、フラットハーネス用コネクタが用いられる。
【０００３】
このフラットハーネス用コネクタ内には、フラットハーネスの導体と接続された接続端子が収容されており、これらの接続方式としては、例えば接続部分に対して上方から電極を平行に当接し溶接する抵抗溶接（シリーズ溶接）（例えば、特許文献１，２及び３参照。）が知られている。
【０００４】
【特許文献１】特開２００２−１７０６１１号公報（第４−６頁、第１−１１図及び第１３図）
【特許文献２】特開２００２−２５６５３号公報（第４−５頁、第１−７図）
【特許文献３】特開２００２−３５７９１９号公報（第４−５頁、第１−７図）
【０００５】
これら特許文献１，２及び３のようにフラットハーネスの導体と接続端子とを抵抗溶接で接続した場合、その接続部分は、例えば接続端子とフラットハーネスとをそれぞれ引っ張るような状況に対しての引張強度をある程度は備えるものの、接続端子をフラットハーネスから引き剥がすような状況に対してのピール強度は殆ど備えない。
【０００６】
このため、これら特許文献１，２及び３では、例えばその接続部分をホットメルト樹脂などでモールドしたり、補強板を取り付けたり、ポッティングを施したりしてピール強度を向上させることにしている。
【発明の開示】
【発明が解決しようとする課題】
【０００７】
しかしながら、上記特許文献１，２及び３のように抵抗溶接で接続したうえに更にモールドや補強板などで接続部分のピール強度の向上を図る場合、フラットハーネス用コネクタの製造工程数が増えたり材料費が増えたりしてフラットハーネス用コネクタのコストアップに繋がるおそれがある。
【０００８】
本発明は、このような問題点に鑑みてなされたもので、フラットハーネスと接続端子との接続部分への外力の影響を極力抑え安価に機械的強度の信頼性を向上させることができるフラットハーネス用コネクタを提供することを目的とする。
【課題を解決するための手段】
【０００９】
本発明に係るフラットハーネス用コネクタは、複数の導体を平面状に並設し各導体の周囲に絶縁被覆が備えられた構造からなるフラットハーネスと、このフラットハーネスの前記複数の導体とそれぞれ接続される複数の接続端子と、これら複数の接続端子が装着されるコネクタハウジングと、このコネクタハウジングが係合するリテーナとを備え、前記複数の接続端子は、先端側に形成されて相手方接続端子と接続可能な接続部と、基端側に形成されて前記導体と接続される導体接続部と、これら接続部及び導体接続部間を連結する連結部とを備えて構成され、前記コネクタハウジングは、先端側に形成されて相手方コネクタハウジングと嵌合する嵌合部と、この嵌合部の基端側から前記接続部を挿通する複数の端子挿通孔と、これら複数の端子挿通孔の基端側に形成されて前記連結部と前記導体接続部及び前記導体の接続部分と前記フラットハーネスの端末部とを支持する棚状の端末支持部とを備えて構成され、前記リテーナは、前記端末支持部との間で前記フラットハーネスの端末部をその厚さ方向に挟む状態で前記コネクタハウジングと係合してなるものであることを特徴とする。
【００１０】
なお、コネクタハウジング及びリテーナの少なくとも一方の対向端面には、例えば両者の完全係合時に端末支持部においてフラットハーネスの端末部をその厚さ方向に挟みコネクタハウジングに固定する端末固定部が形成されていると良い。
【００１１】
ここで、このフラットハーネス用コネクタのリテーナは、例えばヒンジ部を介してコネクタハウジングに対し係合自在に一体成形されていても良い。
【００１２】
また、このフラットハーネス用コネクタは、例えば端末支持部がコネクタハウジングに複数形成され、リテーナがコネクタハウジングに複数係合される構造でも良い。
【００１３】
そして、端末固定部は、例えば以下のようなものから構成される。即ち、（１）端末支持部に支持されたフラットハーネスの端末部における各導体間の絶縁被覆を厚さ方向に挟み込む複数の固定突起部や、（２）端末支持部に支持されたフラットハーネスの各導体の配列方向に延びる形状で形成された端末部を厚さ方向に挟み込む固定突条部や、（３）コネクタハウジング及びリテーナのいずれか一方に形成された複数の嵌合突起部と、いずれか他方に形成された複数の嵌合突起部がそれぞれ嵌合する複数の嵌合穴部とから構成されると良い。
【００１４】
なお、上記（３）の場合は、例えばフラットハーネスの端末部には、導体形成部分以外の部分に絶縁被覆を貫通し複数の嵌合突起部がそれぞれ挿通する複数の挿通穴部が形成されていると良い。
【００１５】
また、コネクタハウジング及びリテーナのいずれか一方の対向端面には、例えばフラットハーネスの端末部の各導体間に嵌りこれら各導体を端末支持部においてそれぞれ隔てる複数の隔壁部が形成されていると良く、この場合フラットハーネスの端末部の各導体間には、複数の隔壁部がそれぞれ嵌るスリット部が形成されていると良い。
【００１６】
そして、複数の接続端子の連結部は、例えば板状に形成されると共に一部に係止穴部及び係止突起部のいずれか一方が形成されていると良く、この場合コネクタハウジング及びリテーナのいずれか一方の対向端面には、例えば係止穴部及び係止突起部のいずれか一方と係合するいずれか他方が形成されていると良い。
【００１７】
更に、コネクタハウジング及びリテーナのフラットハーネスの外部導出側端部近傍の対向端面には、例えばフラットハーネスをその長手方向に沿った縦断面から見てクランク状に挟持するハーネス固定部が形成されていると良い。
【００１８】
なお、フラットハーネスは、例えば複数の電線の各電線間を絶縁被覆で繋いだ形状のフラットケーブル（ＦＣ）や、各導体の押出成形により回路部を形成してこの回路部を絶縁フィルムなどの絶縁被覆でラミネートしたフレキシブルフラットケーブル（ＦＦＣ）や、絶縁フィルムなどの絶縁被覆上に各導体をパターン形成して回路部を形成し、これらの上にカバーレイなどを形成したフレキシブルプリント基板（ＦＰＣ）のいずれか１つからなると良い。
【００１９】
そして、複数の接続端子の導体接続部と複数の導体とのそれぞれの接続は、例えばシリーズ溶接などの抵抗溶接、超音波溶着、レーザ溶接、アーク溶接、半田付け及びピアッシングの少なくとも１つで行われていると良い。
【発明の効果】
【００２０】
本発明によれば、コネクタハウジングと係合するリテーナが、コネクタハウジングの端末支持部に支持されたフラットハーネスの端末部を厚さ方向に挟む状態でコネクタハウジングと係合する。このため、接続端子と導体との接続部分に例えば樹脂モールドなどの補強を施さなくても、この接続部分に対する引っ張りや引き剥がしなどの外力の影響を極力少なくすることができる。これにより、安価にフラットハーネス用コネクタの機械的強度を向上させ信頼性を向上させることが可能となる。
【発明を実施するための最良の形態】
【００２１】
以下、添付の図面を参照して、本発明の好ましい実施の形態を説明する。
図１は、本発明の一実施形態に係るフラットハーネス用コネクタを示す外観斜視図、図２は、このフラットハーネス用コネクタの一部断面図、図３は、このフラットハーネス用コネクタの上方平面図、図４は、このフラットハーネス用コネクタを示す外観斜視図、図５は、図４のＡ−Ａ´断面図、図６は、図４のＢ−Ｂ´断面図、図７は、図４のＣ−Ｃ´断面図、図８は、図４のＤ−Ｄ´断面図、図９は、図４のＥ−Ｅ´断面図である。
【００２２】
フラットハーネス用コネクタ１は、例えば矩形断面状の複数の導体３１が平面状に並設され各導体３１の周囲に絶縁被覆３２が備えられた構造からなるフラットハーネス３０，３０と、このフラットハーネス３０，３０の各導体３１とそれぞれ接続される複数の接続端子４０と、これら複数の接続端子４０が備えられるハウジング１０と、このハウジング１０と係合するリテーナ２０，２０とを備えて構成されている。
【００２３】
フラットハーネス３０，３０は、その端末部において、絶縁被覆３２の一方が除去されて各導体３１が露出されると共に各導体３１間の絶縁被覆３２が更に除去されて複数のスリット３３が形成された構造からなる。
【００２４】
また、フラットハーネス３０，３０には、各導体３１間の各スリット３３の基端側に、後述する嵌合突起部が挿通する絶縁被覆３２を貫通する形状の挿通穴部３４が形成されている。
【００２５】
複数の接続端子４０は、例えば図２及び図３に示すように、先端側に形成されて図示しない相手方接続端子と接続可能な接続部４１と、基端側に形成されてフラットハーネス３０の導体３１と接続される導体接続部４３と、これら接続部４１及び導体接続部４３を連結する連結部４２とを備えて構成され、この例では全体が板状の接続端子である。
【００２６】
なお、複数の接続端子４０の連結部４２には、それぞれ一部に後述する係止突起部が係合する係止穴部４４が形成されている。
【００２７】
また、各接続端子４０の導体接続部４３とフラットハーネス３０，３０の各導体３１とは、この例では例えばシリーズ溶接により接続されている。シリーズ溶接については公知技術であるため、ここでは説明を省略する。
【００２８】
一方、コネクタハウジング１０は、先端側に形成されて図示しない相手方コネクタハウジングと嵌合する嵌合部１１と、この嵌合部１１の基端側から各接続端子４０の接続部４１を挿通する複数の端子挿通孔１２（図２参照）と、これら複数の端子挿通孔１２の基端側に形成されて各接続端子４０の連結部４２と、各接続端子４０の導体接続部４３とフラットハーネス３０，３０の各導体３１との接続部分と、フラットハーネス３０，３０の端末部とを支持する棚状の複数の端末支持部１３，１３とを備えて構成されている。
【００２９】
なお、この例では複数の端末支持部１３，１３は、図１中上下方向からリテーナ２０，２０がそれぞれ係合するように形成されている。
【００３０】
リテーナ２０，２０は、コネクタハウジング１０の端末支持部１３，１３との間でフラットハーネス３０，３０の端末部をその厚さ方向にそれぞれ挟む状態でコネクタハウジング１０と係合する構造からなり、この例では、コネクタハウジング１０の嵌合部１１の基端側に形成されたヒンジ部１４（図２及び図３参照）を介してコネクタハウジング１０に対しそれぞれ係合自在に一体成形された構造からなる。
【００３１】
なお、これらリテーナ２０，２０とコネクタハウジング１０との係合は、例えば各リテーナ２０，２０の側端部に形成された複数の係合爪２９と、コネクタハウジング１０の端末支持部１３，１３の側端部に形成されたこれら複数の係合爪２９と係合する係合突起１９とが係合することにより行われる。
【００３２】
そして、この例では各リテーナ２０，２０のコネクタハウジング１０との対向端面には、コネクタハウジング１０との完全係合時に、例えば端末支持部１３，１３においてフラットハーネス３０，３０の端末部を厚さ方向に挟みコネクタハウジング１０に固定するための端末固定部が形成されている。
【００３３】
ここでは、端末固定部は、各リテーナ２０，２０に形成された複数の嵌合突起部２８と、コネクタハウジング１０の各端末支持部１３，１３に形成されたこれら嵌合突起部２８がそれぞれ嵌合する複数の嵌合穴部１８（図６及び図９参照）とから構成されている。
【００３４】
各嵌合突起部２８は、コネクタハウジング１０とリテーナ２０，２０との完全係合時に、上述したようにフラットハーネス３０，３０の端末部の各挿通穴部３４を通って各嵌合穴部１８に嵌合する。
【００３５】
このため、フラットハーネス３０，３０は、コネクタハウジング１０に強固に固定され、例えばその長手方向にコネクタハウジング１０から引き抜くように引っ張られた場合でもその影響は各接続端子４０の導体接続部４３とフラットハーネス３０，３０の各導体３１との接続部分には及ばない。
【００３６】
従って、このフラットハーネス用コネクタ１では、各接続端子４０の導体接続部４３とフラットハーネス３０，３０の各導体４１との接続部分に、例えば樹脂モールド等の補強を施さなくても、この接続部分に対する引っ張りや引き剥がしなどの外力の影響を極力少なくすることが可能となる。
【００３７】
これにより、接続部分の補強のための部材等が不要となり安価にフラットハーネス用コネクタ１の機械的強度を向上させて、コネクタの信頼性を向上させることが可能となる。
【００３８】
なお、このフラットハーネス用コネクタ１の各リテーナ２０，２０のコネクタハウジング１０との対向端面には、例えば図５及び図７に示すように、各接続端子４０の連結部４２に形成された係止穴部４４とそれぞれ係合する複数の係止突起部２１と、例えば図８に示すように、フラットハーネス３０，３０の端末部に形成された各スリット３３に嵌り各導体３１を端末支持部１３，１３においてそれぞれ隔てる複数の隔壁部２２とが形成されている。
【００３９】
各係止突起部２１は、接続部４１が各端子挿通孔１２に挿通された各接続端子４０をコネクタハウジング１０に係止固定するいわゆるランス部と同等の役割を果たし、複数の隔壁部２２は、フラットハーネス３０の端末部の各導体３１間におけるいわゆるウィスカーによる短絡を防止するために設けられている。
【００４０】
なお、端末固定部を構成する嵌合突起部２８と嵌合穴部１８は、それぞれコネクタハウジング１０の端末支持部１３，１３とリテーナ２０，２０とに反対に形成されていても良い。また、係止突起部２１と隔壁部２２は、それぞれコネクタハウジング１０の端末支持部１３，１３に形成されていても良い。
【００４１】
更に、端末固定部は、上記嵌合突起部２８及び嵌合穴部１８から構成されるものの他、例えば、図１０に示すように、各リテーナ２０，２０の上記対向端面に形成され、端末支持部１３，１３に支持された各フラットハーネス３０，３０の端末部における各導体３１間の絶縁被覆３２をその厚さ方向に挟み込む複数の固定突起部２７から構成されていても良い。
【００４２】
そして、この固定突起部２７の他にも、図示は省略するが、端末固定部は、例えば端末支持部１３，１３に支持されたフラットハーネス３０，３０の各導体３１の配列方向に延びる形状で形成されフラットハーネス３０，３０の端末部をその厚さ方向に挟み込む固定突条部で構成されていても良い。
【００４３】
なお、これら複数の固定突起部２７や固定突条部は、コネクタハウジング１０の端末支持部１３，１３側の対向端面に形成されていても良い。
【００４４】
更に、フラットハーネス３０，３０は、例えば、図１１に示すように、絶縁被覆３２で覆われた複数の丸型断面導体３１間を絶縁被覆３２で繋いだ形状のいわゆるフラットケーブル（ＦＣ）３０ａや、図１２に示すように、複数の矩形断面導体３１の押出成形により所定の回路部を形成してこの回路部を絶縁フィルムなどの絶縁被覆３２でラミネートしたいわゆるフレキシブルフラットケーブル（ＦＦＣ）３０ｂや、図１３に示すように、絶縁フィルムなどの絶縁被覆３２上に各導体３１をパターン形成して所定の回路部を形成し、これらの上にカバーレイなどの絶縁被覆３２を形成したいわゆるフレキシブルプリント基板（ＦＰＣ）３０ｃなどを用いて構成しても良い。
【００４５】
そして、このフラットハーネス用コネクタ１には、図１４に示すように、コネクタハウジング１０及び各リテーナ２０，２０のフラットハーネス３０，３０の外部導出側端部近傍の対向端面に、例えば各フラットハーネス３０，３０をその長手方向に沿った縦断面から見てクランク状に挟持する複数の段差からなるハーネス固定部３９，３９が形成されていても良い。
【００４６】
このようにハーネス固定部３９が形成されていると、フラットハーネス用コネクタ１にいわゆるストレインリリーフ構造が具備され、各接続端子４０の導体接続部４３とフラットハーネス３０，３０の各導体４１との接続部分に対する引っ張りや引き剥がしなどの外力の影響を更に少なくすることが可能となる。
【００４７】
なお、各接続端子４０の導体接続部４３とフラットハーネス３０，３０の各導体３１との接続は、この例ではシリーズ溶接により行われているが、例えば超音波溶着、レーザ溶接、アーク溶接、ピアッシング及び半田付け等により行われたり、これらを組み合わせて行われたりしていても良い。
【００４８】
図１５は、本発明の他の実施形態に係るフラットハーネス用コネクタを示す一部断面仮想背面図である。なお、以降において、既に説明した部分と重複する説明はなるべく割愛することとする。
【００４９】
このフラットハーネス用コネクタ１Ａでは、各リテーナ２０，２０がコネクタハウジング１０の端末支持部１３，１３の側端部に形成されたヒンジ部１４を介して図中矢印方向に移動し、コネクタハウジング１０に対してそれぞれ係合自在に一体成形されている点が、先のフラットハーネス用コネクタ１と相違している。
【００５０】
その他の点や効果については、先のフラットハーネス用コネクタ１と同様であるため、ここでは説明を省略する。
【００５１】
図１６は、本発明の更に他の実施形態に係るフラットハーネス用コネクタ１Ｂを示す概略側面図である。
【００５２】
このフラットハーネス用コネクタ１Ｂでは、各リテーナ２０，２０がコネクタハウジング１０に対し、ヒンジ部１４を介さずに着脱自在に係合される点が、先の例のフラットハーネス用コネクタ１，１Ａと相違している。
【００５３】
その他の点や効果については、先のフラットハーネス用コネクタ１，１Ａと同様であるため、ここでは説明を省略する。
【産業上の利用可能性】
【００５４】
本発明は、自動車等に搭載されるフラットハーネスの電気的接続を行う各種の用途に利用できる。
【図面の簡単な説明】
【００５５】
【図１】本発明の一実施形態に係るフラットハーネス用コネクタを示す外観斜視図である。
【図２】同フラットハーネス用コネクタの一部断面図である。
【図３】同フラットハーネス用コネクタの上方平面図である。
【図４】同フラットハーネス用コネクタを示す外観斜視図である。
【図５】図４のＡ−Ａ´断面図である。
【図６】図４のＢ−Ｂ´断面図である。
【図７】図４のＣ−Ｃ´断面図である。
【図８】図４のＤ−Ｄ´断面図である。
【図９】図４のＥ−Ｅ´断面図である。
【図１０】同フラットハーネス用コネクタの他の端末固定部を示す一部断面背面図である。
【図１１】同フラットハーネス用コネクタの他のフラットハーネスを示す外観斜視図である。
【図１２】同フラットハーネス用コネクタの他のフラットハーネスを示す外観斜視図である。
【図１３】同フラットハーネス用コネクタの他のフラットハーネスを示す外観斜視図である。
【図１４】同フラットハーネス用コネクタのハーネス固定部を説明するための一部断面図である。
【図１５】本発明の他の実施形態に係るフラットハーネス用コネクタを示す一部断面仮想背面図である。
【図１６】本発明の更に他の実施形態に係るフラットハーネス用コネクタを示す概略側面図である。
【符号の説明】
【００５６】
１，１Ａ，１Ｂ…フラットハーネス用コネクタ、１０…コネクタハウジング、１１…嵌合部、１２…端子挿通孔、１３…端末支持部、１４…ヒンジ部、１８…嵌合穴部、２０…リテーナ、２１…係止突起部、２２…隔壁部、２８…嵌合突起部、３０…フラットハーネス、３１…導体、３２…絶縁被覆、３３…スリット、３４…挿通穴部、３９…ハーネス固定部、４０…接続端子、４１…接続部、４２…連結部、４３…導体接続部、４４…係止穴部。
【図１】
2005190717.tif 000003
【図２】
2005190717.tif 000004
【図３】
2005190717.tif 000005
【図４】
2005190717.tif 000006
【図５】
2005190717.tif 000007
【図６】
2005190717.tif 000008
【図７】
2005190717.tif 000009
【図８】
2005190717.tif 000010
【図９】
2005190717.tif 000011
【図１０】
2005190717.tif 000012
【図１１】
2005190717.tif 000013
【図１２】
2005190717.tif 000014
【図１３】
2005190717.tif 000015
【図１４】
2005190717.tif 000016
【図１５】
2005190717.tif 000017
【図１６】
2005190717.tif 000018